(57)【要約】【課題】年中使用される布団乾燥機において、使用される環境に応じて運転方法を変化させ省エネ性能を向上させることを目的とする。【解決手段】加熱風路７は吸入口２から部屋の空気を流入しその空気は送風手段であるファン３により循環され、さらにその下流側にてヒータ４により流入された空気を暖め、そしてあたためた空気はホース５と吐出口６を会して布団に送風される構成である布団乾燥機１においてサーミスタ８で検知した吸込み空気の温度がある閾値以上だと所定時間後、ヒータ４の出力をＯＦＦしファン３のみの運転にすることで消費電力をおさえて乾燥することが出来る。【選択図】図２
2016168238.tif 000002
【特許請求の範囲】
【請求項１】
送風手段とその送風手段の下流に空気を温める加熱手段を有し、
外部から吸い込んだ空気を温めて外部に吐出する布団乾燥機において、
さらに、前記送風手段の上流に設けた温度検知手段と、
前記送風手段と前記加熱手段を制御する制御手段を備え、
前記制御手段は、運転開始時に、前記温度検知手段にて測定した温度が所定の閾値以上であった場合、所定の時間、前記加熱手段と前記送風手段を運転し、
その後、前記加熱手段を停止し、前記送風手段のみを運転すること
を特徴とする布団乾燥機。
【請求項２】
前記温度検知手段において検知した温度に応じて加熱手段のＯＮ時間を変化させることを特徴とする布団乾燥機。
【発明の詳細な説明】
【技術分野】
【０００１】
本発明は、温風を吹き出す布団乾燥機に関するものである。
【背景技術】
【０００２】
従来、この種の布団乾燥機は、送風機の加熱手段（ＰＴＣヒータ）の下流に温度検知手段を設け温度検出手段の温度に応じて運転を切り替えるものが知られている。（例えば、特許文献１参照）。
【０００３】
以下、その布団乾燥機について図４を参照しながら説明する。
【０００４】
布団乾燥機１０１は、吸込口１０２と、吐出口１０３を有し、送風手段１０４によって、外気を吸込口１０２から吸い込んで吐出口１０３から吐出する。加熱手段（ＰＴＣヒータ）１０５は、送風手段１０４により吸込口１０２から吸い込んだ空気を加熱する。温度検出手段１０６は、加熱手段１０５通過後の乾燥用空気の温度を検出する。制御部１０７は、温度検出手段１０６の検出温度に基づいて送風手段１０４および加熱手段１０５を制御する。さらに、制御部は、温度検出手段１０６による検出温度が設定した下限しきい値より低くなると送風手段１０４による送風量を下げる。一方、温度検出手段１０６による検出温度が下限しきい値より高い突風しきい値より高くなると送風手段１０４による送風量を上げる乾燥ステップを実行する。
【先行技術文献】
【特許文献】
【０００５】
【特許文献１】特開２０１４−０７９４３４号公報
【発明の概要】
【発明が解決しようとする課題】
【０００６】
ここで、布団乾燥機を用いた布団乾燥を行う場合、夏場のように送風だけでも十分乾燥できる環境下では、加熱手段１０５は、ダニ駆除のために運転するだけでよい。一方、上記のような従来の布団乾燥機の構成では、季節にかかわらず温度検出手段１０６により布団乾燥機から吐出される空気温度を一定に保つように制御する。そのため、ダニ駆除の運転を行った後の布団乾燥運転においても、加熱手段１０５の運転を行うので、大きな消費電力を使っている。
【０００７】
そこで本発明は、使用環境下、特に使用時の温度が高温の時に適切な運転を行うことにより消費電力を抑えて乾燥することを目的とする。
【課題を解決するための手段】
【０００８】
そして、この目的を達成するために、
送風手段とその送風手段の下流に空気を温める加熱手段を有し、
外部から吸い込んだ空気を温めて外部に吐出する布団乾燥機において、
さらに、前記送風手段の上流に設けた温度検知手段と、
前記送風手段と前記加熱手段を制御する制御手段を備え、
前記制御手段は、運転開始時に、前記温度検知手段にて測定した温度が所定の閾値以上であった場合、所定の時間、前記加熱手段と前記送風手段を運転し、
その後、前記加熱手段を停止し、前記送風手段のみを運転するものであり、
これにより所期の目的を達成するものである。
【発明の効果】
【０００９】
本発明によれば、送風手段とその送風手段の下流に空気を温める加熱手段を有し、外部から吸い込んだ空気を温めて外部に吐出する布団乾燥機において、
さらに、前記送風手段の上流に設けた温度検知手段と、前記送風手段と前記加熱手段を制御する制御手段を備え、
前記制御手段は、運転開始時に、前記温度検知手段にて測定した温度が所定の閾値以上であった場合、所定の時間、前記加熱手段と前記送風手段を運転し、その後、前記加熱手段を停止し、前記送風手段のみを運転するものである。前記温度検知手段にて測定した温度が高い場合は、空気中の飽和水蒸気量が高く、送風のみでも十分な乾燥性能があると判断する。そして、送風のみでも十分な乾燥性能があると判断された場合には、最も消費電力の高い加熱手段をダニ等の駆除のため所定の時間ＯＮした後、送風での乾燥をおこなうことで効率的な運転ができる。
【図面の簡単な説明】
【００１０】
【図１】本発明の実施の形態１の布団乾燥機の構成図
【図２】本発明の実施の形態１の布団乾燥機のフローチャート
【図３】本発明の実施の形態１のヒータ運転時間Ａを演算する場合の布団乾燥機のフローチャート
【図４】従来の布団乾燥機の構成図
【発明を実施するための形態】
【００１１】
本発明の請求項１記載の布団乾燥機は、送風手段とその送風手段の下流に空気を温める加熱手段を有し、外部から吸い込んだ空気を温めて外部に吐出する布団乾燥機において、さらに、前記送風手段の上流に設けた温度検知手段と、前記送風手段と前記加熱手段を制御する制御手段を備え、
前記制御手段は、運転開始時に、前記温度検知手段にて測定した温度が所定の閾値以上であった場合、所定の時間、前記加熱手段と前記送風手段を運転し、その後、前記加熱手段を停止し、前記送風手段のみを運転するものである。
【００１２】
使用時の温度が高い夏場では、送風のみでも高い乾燥性能がある。従って、前記温度検知手段にて測定した温度が高い場合は、空気中の飽和水蒸気量が高く、送風のみでも十分な乾燥性能があると判断する。そして、送風のみでも十分な乾燥性能があると判断された場合には、加熱手段は、ダニ等の駆除のため所定の時間ＯＮした後、送風での乾燥をおこなうことで効率的な運転ができる。
【００１３】
また、前記温度検知手段において検知した温度に応じて加熱手段のＯＮ時間を変化させる構成にしてもよい。これにより、送風の乾燥能力は、その温度に依存するため十分な乾燥能力を確保するために加熱手段のＯＮ時間を変動させると効率のよい乾燥ができる。
【００１４】
以下、本発明の実施の形態について図面を参照しながら説明する。
【００１５】
（実施の形態１）
本実施の形態による布団乾燥機１の構成を図１に示す。
【００１６】
まず、布団乾燥機１は送風手段であるファン３と加熱手段であるヒータ４からなる加熱風路７を備えている。加熱風路７は、吸入口２から部屋の空気を流入しその空気は送風手段であるファン３により気流が作られる。さらに、流入された空気は、ファン３の下流側にてヒータ４により温められ、ホース５を介して吐出口６から送風される構成である。吹き出された空気は、布団を温めることになる。この加熱風路７の吸入口２とファン３の間には、温度検知手段であるサーミスタ８が設けられる。この場所に置くことでヒータ４の
影響を受けることなく吸込み空気の温度吸い込まれる空気の温度を計測することが可能になる。そして、サーミスタ８で検知された信号はマイコン等で構成される制御部９に送られる。
【００１７】
制御部９は、サーミスタ８で検知した信号からファン３とヒータ４を制御する。制御部９は、一般的なマイコンに備えられているタイマカウント機能を有している。尚、ヒータ４はニクロムヒータでも問題ないが、外部に吐出する空気温度を周囲温度に関係なく安定させるために、温度が一定となる特性をもつＰＴＣヒータを用いることが望ましい。
【００１８】
次に、図２を用いて、布団乾燥機１のフローチャートを説明する。
【００１９】
まず、使用者が布団乾燥機１を起動すると、制御部９は、ファン３、ヒータ４を駆動させて、加熱送風運転を開始する。このとき、ファン３の運転によって吸い込まれた空気（吸込み空気）の温度をサーミスタ８が読み取る。このとき、同時に制御部９内蔵のタイマー機能によりタイマカウントを開始する（ＳＴＥＰ１）。このタイマカウントによって、運転開始時からの時間経過の監視を行う。
【００２０】
次に、読み取った吸込み空気の温度が所定の閾値Ｔ℃以上かどうかの判定を行う（ＳＴＥＰ２）。閾値Ｔ℃は、その温度以上の送風によれば、布団を乾燥することが可能となる温度である。すなわち、閾値Ｔ℃は、飽和水蒸気量が多く十分に空気中へ水分を放出可能な温度、例えば送風のみでも布団を十分に乾燥できる２５℃以上に設定するのが望ましい。
【００２１】
ＳＴＥＰ２において、吸込み空気の温度が、閾値Ｔ℃以上であった場合、すなわち、送風のみでも十分に乾くと判断し、ＳＴＥＰ３へ進む。ＳＴＥＰ３では、タイマカウントがヒータ運転時間Ａになるまで、現在の加熱送風運転を維持する。運転開始後、ヒータ運転時間Ａが経過したら、すなわち、タイマカウントがヒータ運転時間Ａになったら、ヒータ４をＯＦＦし、ファン３の運転のみを行う送風運転に移行し、ＳＴＥＰ４へ進む。
【００２２】
なお、ヒータ運転時間Ａは、運転開始時からヒータ４を運転している時間である。そして、ヒータ運転時間Ａは、ヒータ４の運転中にダニの死滅させることを目的としており、目安としては２０分程度がよい。
【００２３】
一方、ＳＴＥＰ２にて、吸込み空気の温度が、閾値Ｔ℃以下であった場合、すなわち、布団乾燥にヒータ４の運転が必要であると判断し、ＳＴＥＰ４に進む。
【００２４】
ＳＴＥＰ４では、タイマカウントが布団乾燥機１の乾燥完了予定時間Ｅになるまで、布団乾燥機１は、運転を継続する。すなわち、ＳＴＥＰ２において吸込み空気の温度が閾値Ｔ℃以上であった場合は、送風運転、吸込み空気の温度が閾値Ｔ℃以下であった場合は、加熱送風運転を継続する。乾燥完了予定時間Ｅは、使用者が設定する布団乾燥機１の運転タイマーであって、効果的に布団を乾燥するために２時間程度に設定するのが望ましい。
【００２５】
乾燥完了予定時間Ｅ経過（ＳＴＥＰ４終了）後はタイマカウントをリセットし、ヒータ４の冷却のため、ファン３のみの運転、すなわち、残遅運転を行う（ＳＴＥＰ５）。残遅運転は、十分にヒータ４が冷却できる間行うもので、３０秒〜２分程度でよい。ＳＴＥＰ４において、送風運転を行っていた場合には、ＳＴＥＰ５の処理は行わなくてもよい。
【００２６】
また、検知温度によってヒータ運転時間Ａのパラメータを変動させることにより、さらに効率的な運転を行うことが可能となる。そのフローチャートを図３にしめす。
【００２７】
まず、布団乾燥機１を駆動させたときに、ファン３、ヒータ４を駆動させ、同時に吸込み空気の温度の検知とタイマカウントをＯＮさせる（ＳＴＥＰ  ２１）。
読み取った吸込み空気の温度から、次のようにヒータ運転時間Ａを演算する。
【００２８】
ヒータ運転時間Ａは、布団乾燥機１をその時間運転することによって、蒸発させる水分量（乾燥量Ｓ）から求める。乾燥量Ｓとは、布団から除去したい水分量、言い換えれば、布団が吸着している水分量である。そして、人が寝ている間には、一晩に０．５〜１ｋｇの発汗量があると言われている。そのため、乾燥量Ｓとして、０．５〜１ｋｇを目安に設定するのが望ましい。
【００２９】
まず、Ｔｅｔｅｎｓの式（式１）からその吸込み空気の温度での飽和水蒸気量を演算する。吸込み空気の温度ｔにおける飽和水蒸気圧ｅは，次のように求められる。
【数１】
2016168238.tif 000003
【００３０】
次にその状況での飽和水蒸気量ａ（ｔ）は、
【数２】
2016168238.tif 000004
【００３１】
となる。そして、ヒータ４を運転しない状態（送風運転時）の単位時間当たりの乾燥量は、飽和水蒸気量ａ（ｔ）と風量の積となる。従って、布団から除去したい水分量である乾燥量Ｓから送風運転によって乾燥される量を引いた値が、加熱送風運転によって除去したい水分量Ｓｈとなる（式３）。
【数３】
2016168238.tif 000005
【００３２】
Ｊ：単位時間当たりの空気の流入量ｍ３、すなわち、布団乾燥機１の風量
Ｙ：ファンのみ駆動運転時間、すなわち、送風運転の時間
次に、ヒータ４の運転中の吐出口６から排気される空気温度Ｋ、その時の飽和水蒸気量ａ（Ｋ）とすると、除去したい水分量Ｓｈを蒸発させるためのヒータ運転時間Ａは、下記（式４）のように求められる。ここで、吐出口６から送出される空気温度Ｋは、定数とし、５０〜７０℃に設定しておくとよい（ＳＴＥＰ２２）。
【数４】
2016168238.tif 000006
【００３３】
なお、乾燥完了予定時間Ｅは、加熱送風運転の時間となるヒータ運転時間Ａと、送風運転時間Ｙとの和である（Ｅ＝Ａ＋Ｙ）。
【００３４】
ヒータ運転時間Ａを求めた後は、ＳＴＥＰ２１で起動したタイマカウントがヒータ運転時間Ａになるまで、加熱送風運転を維持する。ヒータ運転時間Ａが経過したら、ヒータ４をＯＦＦする（ＳＴＥＰ２３）。
【００３５】
次に、ファン３だけを運転継続する（送風運転）。この送風運転は、ＳＴＥＰ２１で起動したタイマカウントが乾燥完了予定時間Ｅになるまで継続する（ＳＴＥＰ２４）。
【００３６】
このような制御を行うことで、寝ている間の発汗量を蒸発させるために必要なヒータ運転時間を周囲温度に応じて演算するため、夏場おいては、従来のように消費電力の高いヒータを不必要に長い時間ＯＮさせることなく消費電力を抑えた運転が可能になる。
【産業上の利用可能性】
【００３７】
本発明での布団乾燥機は、ヒータを用いて乾燥させる機器全般に有用である。
【符号の説明】
【００３８】
１  布団乾燥機
２  吸入口
３  ファン
４  ヒータ
５  ホース
６  吐出口
７  加熱風路
８  サーミスタ
９  制御部
【図１】
2016168238.tif 000007
【図２】
2016168238.tif 000008
【図３】
2016168238.tif 000009
【図４】
2016168238.tif 000010